【手続補正書】
【提出日】令和2年5月14日(2020.5.14)
【手続補正１】
【補正対象書類名】特許請求の範囲
【補正対象項目名】全文
【補正方法】変更
【補正の内容】
【特許請求の範囲】
【請求項１】
第１の識別子と関連付けられた第１の装置に第２の識別子を割り当てるよう作動するアプリケーションプロバイダであって、前記第１の識別子は元の電気通信会社から割り当てられ、第２の装置の識別子と前記第２の識別子は別の電気通信会社と関連付けられている前記アプリケーションプロバイダと；
通信を開始し、前記第１の装置とサーバの間の接続を確立するための複数の第１の通信ネットワークのうちの少なくとも１つの第１の通信ネットワークを選択することで、前記第１の装置が前記第２の識別子を送信者識別子として用いて前記選択した第１の通信ネットワークを介して前記サーバに前記通信を送信するように作動する前記第１の装置と；
前記サーバであって、
前記第１の装置からの前記通信を受信した後に前記第２の識別子を前記第１の識別子と置換し；
前記第２の装置と前記サーバの間で接続された複数の第２の通信ネットワークのうちの少なくとも１つの第２の通信ネットワークを選択し；
前記第１の識別子を前記第２の識別子として用いて前記選択した第２の通信ネットワークを介して前記通信を前記第２の装置に送信するよう作動する前記サーバと；
前記サーバから前記第１の識別子を前記送信者識別子として持つ前記通信を受信するよう作動する前記第２の装置とからなる、複数のネットワークを通じて通信するためのシステム。
【請求項２】
前記第１の装置は、前記第１の通信ネットワークの状態および前記第２の通信ネットワークの状態をチェックするよう作動する、請求項１に記載の複数のネットワークを通じて通信するためのシステム。
【請求項３】
前記複数の第１および第２の通信ネットワークは、回路交換（ＣＳ）ネットワークおよびインターネットプロトコル（ＩＰ）ネットワークを含む、請求項２に記載の複数のネットワークを通じて通信するためのシステム。
【請求項４】
前記第１の装置は、前記第１の通信ネットワークの状態として前記ＩＰネットワークの品質をチェックするとともに、前記ＩＰネットワークの前記チェックした品質に応じて前記ＩＰネットワークおよび前記ＣＳネットワークの少なくとも一方を選択し；
前記サーバは、前記第２の通信ネットワーク状態としてＩＰネットワーク品質をチェックするとともに、前記チェックしたＩＰネットワーク品質に応じて前記ＩＰネットワークおよび前記ＣＳネットワークの少なくとも一方を決定する、請求項３に記載の複数のネットワークを通じて通信するためのシステム。
【請求項５】
前記サーバは、前記選択した第１の通信ネットワークに応じて前記第２の識別子を前記送信者識別子として利用すべきかどうかを決定するよう作動する、請求項４に記載の複数のネットワークを通じて通信するためのシステム。
【請求項６】
前記選択した第１の通信ネットワークが前記ＩＰネットワークである場合、前記第１の装置は前記ＩＰネットワークを介して前記サーバに前記通信を送信し、前記選択した第１の通信ネットワークが前記ＣＳネットワークである場合、前記第１の装置は前記第２の識別子を前記送信者識別子として用いて前記ＣＳネットワークを介して前記サーバに前記通信を送信する、請求項５に記載の複数のネットワークを通じて通信するためのシステム。
【請求項７】
前記第１の装置によって要求された前記通信がリッチメッセージの形式である場合には、
前記選択した第１の通信ネットワークが前記ＩＰネットワークである場合、前記第１の装置は前記ＩＰネットワークを介して前記サーバに前記リッチメッセージを送信するよう作動し、
前記選択した第１の通信ネットワークが前記ＣＳネットワークである場合、前記第１の装置は前記ＣＳネットワークを介して前記サーバに前記リッチメッセージに対応する簡易メッセージを送信するよう作動する、請求項６に記載の複数のネットワークを通じて通信するためのシステム。
【請求項８】
前記選択した第２の通信ネットワークが前記ＩＰネットワークである場合、前記サーバは前記ＩＰネットワークを介して前記第２の装置に前記リッチメッセージを送信するよう作動し、前記選択した第２の通信ネットワークが前記ＣＳネットワークである場合、前記サーバは前記ＣＳネットワークを介して前記第２の装置に前記リッチメッセージに対応する前記簡易メッセージを送信するよう作動する、請求項７に記載の複数のネットワークを通じて通信するためのシステム。
【請求項９】
前記サーバは前記第２の通信ネットワークの状態を再チェックするよう作動し、
再選択した第２の通信ネットワークが前記ＩＰネットワークである場合、前記サーバは前記第２の装置に同期して前記第２の装置内で前記簡易メッセージを前記リッチメッセージと置換する、請求項８に記載の複数のネットワークを通じて通信するためのシステム。
【請求項１０】
前記第２の装置はユーザインタフェース上に前記第１の識別子を前記送信者識別子として表示するよう作動する、請求項１に記載の複数のネットワークを通じて通信するためのシステム。
【請求項１１】
前記第２の装置が別の通信を要求すると、前記第２の装置は前記第２の装置と前記サーバの間で接続された前記複数の第２の通信ネットワークのうちの前記少なくとも１つの第２の通信ネットワークを選択するよう作動し、前記第２の装置は前記第１の識別子を受信者識別子として用いて前記選択した第２の通信ネットワークを介して前記サーバに前記別の通信を送信するよう作動する、請求項４に記載の複数のネットワークを通じて通信するためのシステム。
【請求項１２】
前記サーバは前記第１の装置と前記サーバの間で接続された前記複数の第１の通信ネットワークのうちの前記少なくとも１つの第１の通信ネットワークを選択するよう作動し、前記第２の識別子を前記受信者識別子として用いて前記選択した第１の通信ネットワークを介して前記第１の装置に前記別の通信を送信する、請求項１１に記載の複数のネットワークを通じて通信するためのシステム。
【請求項１３】
前記サーバは、前記選択した第１の通信ネットワークに応じて前記第２の識別子を前記受信者識別子として使用するかどうかを決定するよう作動する、請求項１２に記載の複数のネットワークを通じて通信するためのシステム。
【請求項１４】
前記第１の識別子はホームロケーションレジスタ（ＨＬＲ）に前記第１の装置の国際移動電話加入者識別番号（ＩＭＳＩ）と関連して格納され、
前記第１の装置がアプリケーションに参加すると、前記アプリケーションプロバイダは前記第２の識別子を割り当て、前記第２の識別子が前記ＩＭＳＩと関連して格納されるように前記ＨＬＲを更新する、請求項１に記載の複数のネットワークを通じて通信するためのシステム。
【請求項１５】
第１の識別子と関連付けられた第１の装置により、通信を開始するステップであって、前記第１の識別子は元の電気通信会社から割り当てられ、アプリケーションプロバイダが前記第１の装置に第２の識別子を割り当て、第２の装置の識別子と前記第２の識別子は別の電気通信会社と関連付けられている前記ステップと；
前記第１の装置により、前記第１の装置とサーバの間で接続された複数の第１の通信ネットワークのうちの少なくとも１つの第１の通信ネットワークを選択するステップと；
前記第２の識別子を送信者識別子として用いて前記選択した第１の通信ネットワークを介して前記サーバに前記第１の装置からの前記通信を送信するステップと；
前記サーバにより、前記第２の識別子を前記第１の識別子と置換するステップと；
前記サーバにより、前記第２の装置と前記サーバの間で接続された複数の第２の通信ネットワークのうちの少なくとも１つの通信ネットワークを選択するステップと；
前記第１の識別子を前記送信者識別子として用いて前記選択した第２の通信ネットワークを介して前記第２の装置に前記サーバからの前記通信を送信するステップと；
前記第２の装置により、前記サーバから前記第１の識別子を前記送信者識別子として持つ前記通信を受信するステップとからなる、複数のネットワークを通じて通信するための方法。